(57)【要約】【課題】フィルムの耳部を切除する際に、カッター刃の欠けや割れが発生しないフィルム用芯管を提供する。【解決手段】硬質素材からなる内管１と軟質素材からなる外管２との複合管からなることを特徴とするフィルム用芯管である。【選択図】        図３
2004175467.tif 000002
【特許請求の範囲】
【請求項１】
硬質素材からなる内管と軟質素材からなる外管との複合管からなることを特徴とするフィルム用芯管。
【請求項２】
内管と外管とが側面視において凹凸嵌合してなる請求項１記載のフィルム用芯管。
【請求項３】
硬質素材が硬質ポリ塩化ビニル、硬質ポリエチレン、ポリプロピレン、ポリエステル、ポリアミド、ポリスチレンから選ばれる請求項１又は２記載のフィルム用芯管。
【請求項４】
軟質素材が軟質ポリエチレン、ゴム、軟質エラストマーから選ばれる請求項１〜３のいずれか１項に記載のフィルム用芯管。
【請求項５】
硬質素材が硬質ポリエチレンからなり、軟質素材が軟質ポリエチレンからなる請求項１又は２記載のフィルム用芯管。
【請求項６】
共押出成形により得られた請求項１〜５のいずれか１項に記載のフィルム用芯管。
【発明の詳細な説明】
【０００１】
【発明の属する技術分野】
本発明は農業用フィルム等の長尺フィルム用芯管に関し、更に詳しくは、芯管にフィルムを巻回してなるロール状物の両端の耳部をカッターで切り落とす際に、カッターの刃こぼれを防止するためのフィルム用芯管に関する。
【０００２】
【従来の技術】
従来、この種のフィルム用芯管としては、紙製の芯管（紙管）が用いられてきた。しかしながら、紙管は湿気に弱く、耐久性に劣るため再利用が難しく、従って、一度使用されると焼却、廃棄され、環境保護や省資源の観点からも問題があった。
【０００３】
そこで、上記問題を解決するために、ポリ塩化ビニル製の芯管が使用されるようになってきた。しかしながら、図７に示すように、このような芯管１１にフィルム１２を巻回してなるロール状物は商品性や、フィルム同士を接合して所望の巾とするために、ナイフ、丸ノコ等のカッター１４により両端の耳部１３を切り落とす必要があるが、ポリ塩化ビニル製芯管では硬度が大き過ぎて、カッター１３の刃が折れたり欠けたりするトラブルが避けられない。
【０００４】
カッターの刃の折れや欠けのトラブルは、軟質素材からなる芯管を用いることにより解消されるが、巻回したフィルムの重さに耐えなくなり、その結果、フィルムが弓状に曲がり、寸法安定性が低下し、フィルム同士を接合して所定の巾とする際などにおいて不都合が生じる。
【０００５】
【発明が解決しようとする課題】
本発明は上記問題点を解消し、耳部の切り落としの際において刃が折れたり欠けたりする刃こぼれを防止したフィルム用芯管を提供するものである。
【０００６】
【課題を解決するための手段】
本発明者はかかる実情に鑑み、上記課題を解決するべく鋭意研究の結果、硬質素材からなる内管と軟質素材からなる外管とからなる複合管を芯管として用いることにより、所期の課題が解決されることを見い出し、本発明を完成するに至った。
【０００７】
即ち、本発明の請求項１は、硬質素材からなる内管と軟質素材からなる外管との複合管からなることを特徴とするフィルム用芯管を内容とする。
【０００８】
本発明の請求項２は、内管と外管とが側面視において凹凸嵌合してなる請求項１記載のフィルム用芯管を内容とする。
【０００９】
本発明の請求項３は、硬質素材が硬質ポリ塩化ビニル、硬質ポリエチレン、ポリプロピレン、ポリエステル、ポリアミド、ポリスチレンから選ばれる請求項１又は２記載のフィルム用芯管を内容とする。
【００１０】
本発明の請求項４は、軟質素材が軟質ポリエチレン、ゴム、軟質エラストマーから選ばれる請求項１〜３のいずれか１項に記載のフィルム用芯管を内容とする。
【００１１】
本発明の請求項５は、硬質素材が硬質ポリエチレンからなり、軟質素材が軟質ポリエチレンからなる請求項１又は２記載のフィルム用芯管を内容とする。
【００１２】
本発明の請求項６は、共押出成形により得られた請求項１〜５のいずれか１項に記載のフィルム用芯管を内容とする。
【００１３】
【作用】
本発明のフィルム用芯管は、硬質素材からなる内管と軟質素材からなる外管との複合管から構成されているので、硬質素材の内管によってフィルムの荷重に耐える強度が付与され、一方、軟質素材の外管によってカッターの刃こぼれが防止される。
【００１４】
また、内管と外管とが側面視において凹凸嵌合してなることにより、アンカー効果により内管と外管との剥離が防止される。
【００１５】
更に、内管素材に硬質ポリエチレンを用い、外管素材に軟質ポリエチレンを用いることにより、同種の樹脂であるので分別することなくリサイクルでき、従ってリサイクルが容易である。
【００１６】
【発明の実施の形態】
本発明に用いられる硬質素材としては、硬質ポリ塩化ビニル、硬質ポリエチレン、ポリプロピレン、ポリエステル、ポリアミド、ポリスチレン等の樹脂、アルミ、鉄等の金属等が挙げられるが、コストや成形性の点で樹脂が好ましい。これらの樹脂は単独で又は必要に応じ２種以上組み合わせて用いられる。内管の強度を向上させるために、タルク等の無機粒子、ガラス繊維等で補強することもできる。
【００１７】
本発明に用いられる軟質素材としては、用いられるカッターの刃の硬度よりも小さい素材が用いられ、刃の素材（硬度）にもよるが、軟質ポリエチレン、ゴム、軟質エラストマー等が挙げられ、これらは単独で又は必要に応じ２種以上組み合わせて用いられる。
【００１８】
内管と外管とからなる複合管は、内管と外管とを別々に製造し、両者を接着剤等により接合複合化してもよいが、内管、外管ともに、樹脂を共押出成形すれば接合工程も不要となり、生産性良く製造できる点で好ましい。
【００１９】
この場合、外管の樹脂、内管の樹脂はそれぞれ同種でも異種でもよいが、使用後にリサイクルする際に分別作業が不要になる点で同種であることが望ましい。特に、内管を硬質ポリエチレンとし、外管を軟質ポリエチレンとするのが好適である。
【００２０】
尚、内管と外管とを接合する場合は、接合表面に火炎処理やコロナ放電処理を施したり、アンカーコート剤を使用して接合力を高めることも可能である。
【００２１】
内管と外管とからなる複合管は、使用中に内管と外管とが剥離する場合があるが、これを防止するために、内管と外管とを、側面視（長手方向に対し垂直方向）において凹凸嵌合した構造とすることが好ましい。内管と外管とを共押出成形して複合管とする場合は、内管の外面、外管の内面のいずれかに長手方向に少なくとも１個の突条物を設けることにより、容易に凹凸嵌合構造とすることができる。この場合、内管の外面に突条筋を設けると、その部分だけ軟質素材からなる外管の厚みが薄くなり、耳部をカッターで切り落とす際に、カッターが硬質素材からなる内管外面の突条筋に当り、カッターの刃こぼれが生じる恐れがあるので、外管の内面に突条筋を設けて凹凸嵌合構造とするのが好ましい。
【００２２】
本発明のフィルム用芯管のサイズは、巻回するフィルムの巾や長さにより適宜決定すればよいが、一般に芯管の長さはフィルムの巾よりも２０〜３０ｍｍ程度長く設計される。例えば農業フィルムの場合は、巾は通常３〜４．５ｍであり、この場合のフィルム用芯管としては、内管の直径５０〜７０ｍｍ、厚み３〜８ｍｍ、外管の厚み３〜８ｍｍ程度のものが例示される。
【００２３】
【実施例】
以下、本発明を実施例に基づいて更に詳細に説明するが、本発明はこれら実施例に限定されないことは云うまでもない。
【００２４】
実施例１
図１に示す如く、内径約６１ｍｍ、厚み約４ｍｍ、長さ約３ｍｍのポリ塩化ビニル製の内管１と内径約６５ｍｍ、厚み約３ｍｍの軟質ポリエチレン製の外管２とを予め押出成形し、内管１と外管２とを接着剤３により複合化しフィルム用芯管を得た。
得られた芯管にポリエチレンフィルムを巻回し、両端よりそれぞれ約２５ｍｍ内側にカッターを当接し、フィルムの表面から芯管の外管の表面から１．５ｍｍ切り込んで両耳部を切除した。カッター刃の欠けや割れは全く認められなかった。
【００２５】
実施例２
図２に示す如く、内管１の外面に長さ方向に１個の突条筋４を設けるとともに、外管２の内面に、該突条筋４と嵌合する凹条溝５を設けた他は実施例１と同様にして複合化した。
得られた芯管を用いて実施例１と同様にして両耳部を切除したが、カッター刃の欠けや割れは全く認められなかった。
【００２６】
実施例３
図３に示す如く、内管１には硬質ポリエチレンを、外管２には軟質ポリエチレンを用い、それぞれを共押出成形して複合化したフィルム用芯管を得た。
得られた芯管を用いて実施例１と同様にして両耳部を切除したが、カッター刃の欠けや割れは全く認められなかった。
【００２７】
実施例４
図４に示す如く、内管１には硬質ポリエチレンを、外管２には軟質ポリエチレンを用い、それぞれを共押出成形して内管１の外面の長さ方向に設けた４個の突条筋４を介して複合化したフィルム用芯管を得た。
得られた芯管を用いて実施例１と同様にして両耳部を切除したが、カッター刃の欠けや割れは全く認められなかった。
【００２８】
実施例５
図５に示す如く、外管２の内面に長さ方向に１個の突条筋４を設けるとともに、内管１の内面に、該突条筋４と嵌合する凹条溝５を設けた他は実施例１と同様にして複合化した。
得られた芯管を用いて実施例１と同様にして両耳部を切除したが、カッター刃の欠けや割れは全く認められなかった。
【００２９】
実施例６
図６に示す如く、内管１には硬質ポリエチレンを、外管２には軟質ポリエチレンを用い、それぞれを共押出成形して外管２の内面の長さ方向に設けた４個の突条筋４を介して複合化したフィルム用芯管を得た。
得られた芯管を用いて実施例１と同様にして両耳部を切除したが、カッター刃の欠けや割れは全く認められなかった。
【００３０】
【発明の効果】
叙上のとおり、本発明のフィルム用芯管は、下記の如き数多くの特徴、利点を有する。
【００３１】
本発明のフィルム用芯管は硬質素材からなる内管と軟質素材からなる外管との複合管から構成されているので、硬質素材の内管によってフィルムの荷重に耐える強度が付与され、一方、軟質素材の外管によってカッターの刃こぼれが防止される。
【００３２】
また、内管と外管とが側面視において凹凸嵌合してなることにより、アンカー効果により内管と外管との剥離が防止される。
【００３３】
更に、内管素材に硬質ポリエチレンを用い、外管素材に軟質ポリエチレンを用いることにより、同種の樹脂であるので分別することなくリサイクルでき、従ってリサイクルが容易である。
【００３４】
更にまた、内管と外管とを樹脂を用いて共押出成形することにより、高生産性で安価にフィルム用芯管を提供することができる。
【図面の簡単な説明】
【図１】本発明の実施例を示す側面図である。
【図２】本発明の他の実施例を示す側面図である。
【図３】本発明の更に他の実施例を示す側面図である。
【図４】本発明の更に他の実施例を示す側面図である。
【図５】本発明の更に他の実施例を示す側面図である。
【図６】本発明の更に他の実施例を示す側面図である。
【図７】従来のフィルム用芯管に、フィルムを巻回したロール状物を示す斜視図である。
【符号の説明】
１  内管
２  外管
３  接着剤
４  突条筋
５  凹状溝
１１  芯管
１２  フィルム
１３  耳部
１４  カッター
【図１】
2004175467.tif 000003
【図２】
2004175467.tif 000004
【図３】
2004175467.tif 000005
【図４】
2004175467.tif 000006
【図５】
2004175467.tif 000007
【図６】
2004175467.tif 000008
【図７】
2004175467.tif 000009